(57)【要約】【課題】  被写体に合わせてカメラレンズが向かう方向を一々調節する必要なしに、端末機ホルダーの開閉によってカメラレンズが向かう方向を自動に調節できるカメラ装置を備えた携帯端末機を提供する。【解決手段】  情報の入出力などを制御する部品が内蔵された本体１００と、ディスプレイ２５０を備えたホルダー２００と、前記ホルダー２００と一体になって前記本体１００に対して回動する回動手段３００と、前記ホルダー２００と前記回動手段３００とを連結固定する旋回手段４００と、前記回動手段３００と一体に結合され、前記ホルダー２００の閉鎖状態では、被写体の像を集めるカメラレンズ５０１及びディスプレイ２５０の向かう方向が互いに反対であり、前記ホルダー２００の開放状態では、カメラレンズ５０１及びディスプレイ２５０の向かう方向が互いに同一であるカメラモジュール５００と、を含んで携帯端末機を構成する。【選択図】図１
2005198277.tif 000002
【特許請求の範囲】
【請求項１】
情報の入出力などを制御する部品が内蔵された本体と、
文字及びその他の映像情報を表示するディスプレイを備えたホルダーと、
前記本体に回動自在に設置され、前記ホルダーと一体になって前記本体に対して回動する回動手段と、
前記ホルダーの長さ方向の軸を中心に前記ホルダーが旋回するように、前記ホルダーと前記回動手段とを連結固定する旋回手段と、
前記回動手段と一体に結合され、前記ホルダーの閉鎖状態では、被写体の像を集めるカメラレンズ及びディスプレイの向かう方向が互いに反対であり、前記ホルダーの開放状態では、カメラレンズ及びディスプレイの向かう方向が互いに同一であるカメラモジュールと、
を含んで構成されたことを特徴とする携帯端末機。
【請求項２】
前記本体は、音声情報を受信するマイクユニットと、
外形をなす本体ケースと、
前記本体ケースの前面に情報を入力するように形成されたキーパッドと、
前記本体ケースの内部に装着される回路部品と、
前記本体ケースの一側に着脱自在に連結されたバッテリと、
前記本体ケースの一側に突出形成され、前記回動手段が装着される挿入溝を備えた第１ヒンジ結合部と、
前記本体ケースの一側に突出形成され、前記第１ヒンジ結合部と対をなして前記回動手段が装着される挿入孔を備えた第２ヒンジ結合部と、を含んで構成されたことを特徴とする請求項１記載の携帯端末機。
【請求項３】
前記本体は、前記カメラモジュールの撮影を命令するように、前記本体の一側に形成された撮影ボタンをさらに含んで構成されたことを特徴とする請求項２記載の携帯端末機。
【請求項４】
前記本体は、本体ケースの一側に備わって接写撮影、野外撮影、夜間撮影などの撮影モードを変更するモード選択スイッチを含んで構成されたことを特徴とする請求項２記載の携帯端末機。
【請求項５】
前記モード選択スイッチは、前記本体の第２ヒンジ結合部に形成された固定孔に挿入固定される固定本体と、
前記固定本体に対して回転することで、使用者が撮影モードを選択する回転本体と、
使用者が選択したモード情報を前記本体に内蔵された回路部品に伝達する信号線と、を含んで構成されたことを特徴とする請求項４記載の携帯端末機。
【請求項６】
前記回動手段は、前記本体の一部と前記ホルダーの一部とを連結するヒンジ機構と、
前記ヒンジ機構を収容して前記ホルダーと一体に回動する回動ケースと、
前記回動ケースの内部の収容空間を閉鎖するとともに、前記本体の一部と回動自在に結合されたケースカバーと、を含んで構成されたことを特徴とする請求項１記載の携帯端末機。
【請求項７】
前記ヒンジ機構は、前記ホルダーと一体に回動して、一側に傾斜面などの形状プロファイルを形成したヒンジカムと、
前記本体の一部に装着され、前記ヒンジカムと所定の接触力を有して接触されるとともに、前記ヒンジカムの傾斜面などの形状プロファイルに沿って動くヒンジカム突起と、
前記ヒンジカムと前記ヒンジカム突起との間の所定の接触力を有するように、所定の圧縮変位を有して挿入されたヒンジスプリングと、
前記ヒンジスプリング、ヒンジカム及びヒンジカム突起を貫通する支持軸と、
前記支持軸と前記ヒンジカム突起とを一体に固定するために、前記支持軸に形成されたピンホールと、前記ヒンジカム突起の頭部に形成された結合孔とを貫通して締結されるピンと、
前記支持軸の一端に形成され、前記ヒンジスプリングが所定の圧縮変位を有するように支持するスプリング係止板と、を含んで構成されたことを特徴とする請求項６記載の携帯端末機。
【請求項８】
前記ヒンジカムは、係止突起を中心に傾きが急な曲面で形成された上昇傾斜面と、傾きが緩やかな曲面で形成された下降傾斜面と、を備えており、前記ヒンジカムの外側面には、前記回動ケースと一体に回動するように平坦面を形成したことを特徴とする請求項７記載の携帯端末機。
【請求項９】
前記ヒンジスプリングは、前記スプリング係止板と前記ヒンジカムとの間に設置されたことを特徴とする請求項７記載の携帯端末機。
【請求項１０】
前記回動ケースは、外側面に平坦面を有して円筒状に形成され、その一端が中空状に形成されるとともに、他端にはヒンジ機構を収容するヒンジ固定溝が形成されており、前記回動ケースには、その内部に前記カメラモジュールが挿入されるように、柱方向に内側にカメラ案内溝が形成され、前記カメラモジュールのカメラレンズを外部に露出するレンズ露出孔が貫通形成され、前記カメラモジュールのフラッシュを外部に露出するフラッシュ露出孔が貫通形成されたことを特徴とする請求項６記載の携帯端末機。
【請求項１１】
前記ヒンジ固定溝は、前記ホルダーの回動時、前記ホルダーを開閉する回転角によって回転トルクを発生するヒンジカムと一体に回動するように、前記ヒンジカムの平坦面と噛合されるヒンジ固定溝の平坦部を含んで構成されたことを特徴とする請求項１０記載の携帯端末機。
【請求項１２】
前記旋回手段は、前記ホルダーと一体に回動する回動ケースの外側面に円柱状に突出形成された設置柱と、
前記設置柱の周囲に突出形成された旋回カム突起と、
中空に前記設置柱が挿入され、下面で前記旋回カム突起と結合されることで、前記ホルダーの旋回時に不連続的なモーメントを提供するカム部を備えた旋回カムホルダーと、
前記旋回カムホルダーの上面に位置し、所定の圧縮変位を有して設置されて前記旋回カムホルダーの下方に所定の力を加える旋回スプリングと、
前記旋回スプリングの圧縮変位を維持するようにその上面に位置し、設置柱の上部に形成された雄ねじ部と結合固定される雌ねじ部を備えた固定ナットと、
前記ホルダーの外部をなすホルダーケースと前記旋回カムホルダーとが一体に旋回するように固定結合するホルダー結合手段と、を含んで構成されたことを特徴とする請求項１記載の携帯端末機。
【請求項１３】
前記旋回カム突起は、複数個に構成されたことを特徴とする請求項１２記載の携帯用携用端末機。
【請求項１４】
前記旋回カムホルダーのカム部は、円周方向に波状をなして等間隔に突出されたことを特徴とする請求項１２記載の携帯端末機。
【請求項１５】
前記旋回スプリングは、コイルスプリングであることを特徴とする請求項１２記載の携帯端末機。
【請求項１６】
前記ホルダー締結手段は、前記旋回カムホルダーの外側面に延長形成されて締結孔を備えるホルダー締結部と、
前記ホルダー締結部の締結孔と、ホルダーケースの固定孔とを貫通するボルトと、
前記ボルトと締結され、前記ホルダーケースと前記旋回カムホルダーとを一体に結合するナットと、を含んで構成されたことを特徴とする請求項１２記載の携帯端末機。
【請求項１７】
前記カメラモジュールは、内部に回路部品が内蔵される収容空間を有するカメラ本体と、
前記カメラ本体に突出装着されて被写体の像を集めるカメラレンズと、
前記カメラレンズが前記カメラ本体に取り付けられるように、前記カメラレンズの周囲を取り囲んで形成されたレンズフレームと、
前記本体に内蔵された回路部品に信号を伝送するように形成されたカメラ信号線と、を含んで構成されたことを特徴とする請求項１記載の携帯端末機。
【請求項１８】
前記カメラ本体は、暗い場所でも被写体を容易に撮影するように、前記カメラ本体の前面に形成されたフラッシュを含んで構成されたことを特徴とする請求項１７記載の携帯端末機。
【請求項１９】
前記カメラ本体は、一端が階段状をなしており、前記カメラモジュールが挿入される回動手段の回動ケースの中空部に突出形成された段面と接触するまで挿入結合されることを特徴とする請求項１７記載の携帯端末機。
【発明の詳細な説明】
【技術分野】
【０００１】
本発明は、携帯端末機に関するもので、詳しくは、被写体の位置に合わせて端末機ホルダーを開閉することで、カメラレンズが使用者所望の撮影方向に向かうようにして、使用者が便利にカメラ装置を利用できる携帯端末機に関するものである。
【背景技術】
【０００２】
一般に、携帯端末機は、使用者が簡便に持ち歩くことで、いつどこでも相手方との音声送受信が可能な通信機器である。かかる携帯端末機は、情報通信技術が急速に発展するにつれて、インターネット接続機能、ＴＶ受信機能、そして、被写体を静画像や動画像に撮影するとともに、この撮影された静画像や動画像を相手方と送受信する機能が可能となり、その使用領域も拡大されつつある。
このような機能の拡大によって、使用者所望の被写体を映像や写真ファイルで保存するように、撮影可能な多様な形態のカメラ装置を装着した携帯端末機が普遍化されており、最近は、撮影の便利性を図るために、カメラを所定角だけ回転するように構成された回転型カメラを装着したものが市販されている。
図８は、従来のカメラ装置を備えた携帯端末機の構成を示した斜視図である。
図８に示すように、情報を入力して通信を制御する本体２０と、情報を画像に出力するディスプレイ（図示せず）が備わるホルダー３０と、前記本体２０に回動自在に設置され、前記ホルダー３０と一体になって前記本体２０に対して回動する回動手段４０と、前記本体２０側に回転自在に固定結合されて被写体の像を撮影するカメラ装置１０と、を含んで構成されている。
また、前記本体２０は、その本体２０の外形をなす本体ケース２３と、使用者から音声情報を受信するマイクユニット（図示せず）と、前記本体ケース２３の内部に装着される回路部品（図示せず）と、前記本体２０の一側に着脱自在に装着されたバッテリ２２と、を含んで構成される。
また、前記ホルダー３０は、多様な情報を画像に出力するディスプレイ（図示せず）を取り囲んで形成されたホルダーケース３２と、このホルダーケース３２の前面中央部に基本的な情報を提供する補助液晶画面３１と、前記ホルダーケース３２の内部に装着される複数個の回路部品（図示せず）と、音声情報を提供するスピーカーユニット３３と、を含んで構成される。
また、前記カメラ装置１０は、図９に示すように、前記本体２０側に回転自在に結合される回転円筒１３と、前記本体２０側に固定結合されて前記回転円筒１３の回転を支持する固定部材１４と、前記回転円筒１３と一体に回転自在に装着されて凸レンズに形成されるカメラレンズ１１と、これらカメラレンズ１１と回路部品とを連結して信号を伝送するように形成されたＦＰＣＢ１２と、前記回転円筒１３に前記カメラレンズ１１が装着されるように形成された穴（図示せず）を密閉するキャップ１５と、を備える。ここで、図中、未説明符号１７は、複数個の取っ手用溝である。
また、前記カメラ装置１０は、被写体の多様な位置に合わせてカメラレンズが被写体に向かうように回転円筒１３を回転させるが、このとき、前記回転円筒１３は、前記本体２０に固定された固定部材１４に装着されるので、前記ホルダー３０と一体に回動する回動手段４０とは無関係に回転する。
以下、このように構成された携帯端末機のカメラ装置による撮影過程を説明する。
まず、使用者は、撮影するためにホルダー３０を開放する。その後、ディスプレイ（図示せず）に表示される映像を見ながら回転円筒１３を回転してカメラレンズ１１を被写体に合せ、この被写体がディスプレイ（図示せず）画面に所望の構図で表示されると、撮影ボタンを押して静画像及び動画像を撮影する。
すなわち、ホルダー３０の開放時、ディスプレイが向かう方向の反対側にある被写体を撮影する場合、まず、回転円筒１３を回転することで、カメラレンズ１１が被写体に向かうようにする。このとき、ディスプレイが向かう方向とカメラレンズが向かう方向とは、反対方向になる。その後、使用者は、ディスプレイに表示される映像と被写体とを交互に見ながら撮影する。一方、ホルダー３０の開放時、ディスプレイが向かう方向の被写体を撮影する場合、回転円筒１３を回転することで、再びカメラレンズ１１が被写体に向かうようにする。よって、ディスプレイが向かう方向とカメラレンズが向かう方向とを同一にした後、ディスプレイを見ながら撮影をする。
【発明の開示】
【発明が解決しようとする課題】
【０００３】
然し、従来の携帯端末機は、カメラ装置を用いて撮影するためにホルダーを開放したとき、被写体の位置とディスプレイが向かう方向との一致可否によって、一々回転円筒を回転すべきであるという不都合があった。
また、ホルダーの開放状態のみで撮影可能であるため、体積が大きくなって不便であり、デジタルカメラの撮影時に比べて洗練されていないという不都合があった。
【０００４】
本発明は、このような従来の課題に鑑みてなされたもので、被写体に合わせてカメラレンズが向かう方向を一々調節する必要なしに、端末機ホルダーの開閉によってカメラレンズが向かう方向を自動に調節できるカメラ装置を備えた携帯端末機を提供することを目的とする。
【課題を解決するための手段】
【０００５】
上記目的を達成するために、本発明は、例えば、以下の手段を提供する。
（項目１）
情報の入出力などを制御する部品が内蔵された本体と、
文字及びその他の映像情報を表示するディスプレイを備えたホルダーと、
前記本体に回動自在に設置され、前記ホルダーと一体になって前記本体に対して回動する回動手段と、
前記ホルダーの長さ方向の軸を中心に前記ホルダーが旋回するように、前記ホルダーと前記回動手段とを連結固定する旋回手段と、
前記回動手段と一体に結合され、前記ホルダーの閉鎖状態では、被写体の像を集めるカメラレンズ及びディスプレイの向かう方向が互いに反対であり、前記ホルダーの開放状態では、カメラレンズ及びディスプレイの向かう方向が互いに同一であるカメラモジュールと、
を含んで構成されたことを特徴とする携帯端末機。
（項目２）
前記本体は、音声情報を受信するマイクユニットと、
外形をなす本体ケースと、
前記本体ケースの前面に情報を入力するように形成されたキーパッドと、
前記本体ケースの内部に装着される回路部品と、
前記本体ケースの一側に着脱自在に連結されたバッテリと、
前記本体ケースの一側に突出形成され、前記回動手段が装着される挿入溝を備えた第１ヒンジ結合部と、
前記本体ケースの一側に突出形成され、前記第１ヒンジ結合部と対をなして前記回動手段が装着される挿入孔を備えた第２ヒンジ結合部と、を含んで構成されたことを特徴とする項目１記載の携帯端末機。
（項目３）
前記本体は、前記カメラモジュールの撮影を命令するように、前記本体の一側に形成された撮影ボタンをさらに含んで構成されたことを特徴とする項目２記載の携帯端末機。
（項目４）
前記本体は、本体ケースの一側に備わって接写撮影、野外撮影、夜間撮影などの撮影モードを変更するモード選択スイッチを含んで構成されたことを特徴とする項目２記載の携帯端末機。
（項目５）
前記モード選択スイッチは、前記本体の第２ヒンジ結合部に形成された固定孔に挿入固定される固定本体と、
前記固定本体に対して回転することで、使用者が撮影モードを選択する回転本体と、
使用者が選択したモード情報を前記本体に内蔵された回路部品に伝達する信号線と、を含んで構成されたことを特徴とする項目４記載の携帯端末機。
（項目６）
前記回動手段は、前記本体の一部と前記ホルダーの一部とを連結するヒンジ機構と、
前記ヒンジ機構を収容して前記ホルダーと一体に回動する回動ケースと、
前記回動ケースの内部の収容空間を閉鎖するとともに、前記本体の一部と回動自在に結合されたケースカバーと、を含んで構成されたことを特徴とする項目１記載の携帯端末機。
（項目７）
前記ヒンジ機構は、前記ホルダーと一体に回動して、一側に傾斜面などの形状プロファイルを形成したヒンジカムと、
前記本体の一部に装着され、前記ヒンジカムと所定の接触力を有して接触されるとともに、前記ヒンジカムの傾斜面などの形状プロファイルに沿って動くヒンジカム突起と、
前記ヒンジカムと前記ヒンジカム突起との間の所定の接触力を有するように、所定の圧縮変位を有して挿入されたヒンジスプリングと、
前記ヒンジスプリング、ヒンジカム及びヒンジカム突起を貫通する支持軸と、
前記支持軸と前記ヒンジカム突起とを一体に固定するために、前記支持軸に形成されたピンホールと、前記ヒンジカム突起の頭部に形成された結合孔とを貫通して締結されるピンと、
前記支持軸の一端に形成され、前記ヒンジスプリングが所定の圧縮変位を有するように支持するスプリング係止板と、を含んで構成されたことを特徴とする項目６記載の携帯端末機。
（項目８）
前記ヒンジカムは、係止突起を中心に傾きが急な曲面で形成された上昇傾斜面と、傾きが緩やかな曲面で形成された下降傾斜面と、を備えており、前記ヒンジカムの外側面には、前記回動ケースと一体に回動するように平坦面を形成したことを特徴とする項目７記載の携帯端末機。
（項目９）
前記ヒンジスプリングは、前記スプリング係止板と前記ヒンジカムとの間に設置されたことを特徴とする項目７記載の携帯端末機。
（項目１０）
前記回動ケースは、外側面に平坦面を有して円筒状に形成され、その一端が中空状に形成されるとともに、他端にはヒンジ機構を収容するヒンジ固定溝が形成されており、前記回動ケースには、その内部に前記カメラモジュールが挿入されるように、柱方向に内側にカメラ案内溝が形成され、前記カメラモジュールのカメラレンズを外部に露出するレンズ露出孔が貫通形成され、前記カメラモジュールのフラッシュを外部に露出するフラッシュ露出孔が貫通形成されたことを特徴とする項目６記載の携帯端末機。
（項目１１）
前記ヒンジ固定溝は、前記ホルダーの回動時、前記ホルダーを開閉する回転角によって回転トルクを発生するヒンジカムと一体に回動するように、前記ヒンジカムの平坦面と噛合されるヒンジ固定溝の平坦部を含んで構成されたことを特徴とする項目１０記載の携帯端末機。
（項目１２）
前記旋回手段は、前記ホルダーと一体に回動する回動ケースの外側面に円柱状に突出形成された設置柱と、
前記設置柱の周囲に突出形成された旋回カム突起と、
中空に前記設置柱が挿入され、下面で前記旋回カム突起と結合されることで、前記ホルダーの旋回時に不連続的なモーメントを提供するカム部を備えた旋回カムホルダーと、
前記旋回カムホルダーの上面に位置し、所定の圧縮変位を有して設置されて前記旋回カムホルダーの下方に所定の力を加える旋回スプリングと、
前記旋回スプリングの圧縮変位を維持するようにその上面に位置し、設置柱の上部に形成された雄ねじ部と結合固定される雌ねじ部を備えた固定ナットと、
前記ホルダーの外部をなすホルダーケースと前記旋回カムホルダーとが一体に旋回するように固定結合するホルダー結合手段と、を含んで構成されたことを特徴とする項目１記載の携帯端末機。
（項目１３）
前記旋回カム突起は、複数個に構成されたことを特徴とする項目１２記載の携帯用携用端末機。
（項目１４）
前記旋回カムホルダーのカム部は、円周方向に波状をなして等間隔に突出されたことを特徴とする項目１２記載の携帯端末機。
（項目１５）
前記旋回スプリングは、コイルスプリングであることを特徴とする項目１２記載の携帯端末機。
（項目１６）
前記ホルダー締結手段は、前記旋回カムホルダーの外側面に延長形成されて締結孔を備えるホルダー締結部と、
前記ホルダー締結部の締結孔と、ホルダーケースの固定孔とを貫通するボルトと、
前記ボルトと締結され、前記ホルダーケースと前記旋回カムホルダーとを一体に結合するナットと、を含んで構成されたことを特徴とする項目１２記載の携帯端末機。
（項目１７）
前記カメラモジュールは、内部に回路部品が内蔵される収容空間を有するカメラ本体と、
前記カメラ本体に突出装着されて被写体の像を集めるカメラレンズと、
前記カメラレンズが前記カメラ本体に取り付けられるように、前記カメラレンズの周囲を取り囲んで形成されたレンズフレームと、
前記本体に内蔵された回路部品に信号を伝送するように形成されたカメラ信号線と、を含んで構成されたことを特徴とする項目１記載の携帯端末機。
（項目１８）
前記カメラ本体は、暗い場所でも被写体を容易に撮影するように、前記カメラ本体の前面に形成されたフラッシュを含んで構成されたことを特徴とする項目１７記載の携帯端末機。
（項目１９）
前記カメラ本体は、一端が階段状をなしており、前記カメラモジュールが挿入される回動手段の回動ケースの中空部に突出形成された段面と接触するまで挿入結合されることを特徴とする項目１７記載の携帯端末機。
【０００６】
このような目的を達成するため、本発明に係る携帯端末機は、情報の入出力などを制御する部品が内蔵された本体と、文字及びその他の映像情報を表示するディスプレイを備えたホルダーと、前記本体に回動自在に設置され、前記ホルダーと一体になって前記本体に対して回動する回動手段と、前記ホルダーの長さ方向の軸を中心に前記ホルダーが旋回するように、前記ホルダーと前記回動手段とを連結固定する旋回手段と、前記回動手段と一体に結合され、前記ホルダーの閉鎖状態では、被写体の像を集めるカメラレンズ及びディスプレイの向かう方向が互いに反対であり、前記ホルダーの開放状態では、カメラレンズ及びディスプレイの向かう方向が互いに同一であるカメラモジュールと、を含んで構成されることを特徴とする。
【発明の効果】
【０００７】
本発明は、前記ホルダーを旋回せずに開放した状態では、カメラレンズとホルダーのディスプレイとが使用者に向かうことで、使用者自身を含めて撮影するか、または画像通話をするとき、相手方に自身の姿を容易に伝送して使用者の便宜を図るとともに、前記ホルダーを１８０゜だけ旋回して閉鎖した状態では、ディスプレイが使用者に向かい、前記カメラレンズがその反対側の被写体に向かうように構成することで、使用者が被写体を見ながら被写体の像をディスプレイを通して確認するため、多様な角度の被写体の構図を迅速にとって一層容易に調節できるという効果がある。
また、本発明は、デジタルカメラと類似した形状及び方法で被写体を撮影するので、使用者に、携帯端末機の付随的な機能としてでなく、一つの独立的なデジタルカメラとしての認識を与え、従来のデジタルカメラと類似した方式で撮影することで、携帯端末機のカメラ機能に慣れていない人も容易に撮影できるという効果がある。
【発明を実施するための最良の形態】
【０００８】
以下、本発明の実施の形態に対し、図面に基づいて説明する。
図１は、本発明に係る携帯端末機の一実施形態を示した斜視図で、図２は、前記携帯端末機を部分的に分解して示した斜視図である。
図示したように、本発明に係る携帯端末機は、情報の入出力などを制御する部品が装着された本体１００と、文字及びその他の映像情報を表示するディスプレイ２５０を備えたホルダー２００と、前記本体１００に回動自在に設置され、前記ホルダー２００と一体になって前記本体１００に対して回動する回動手段３００と、前記ホルダー２００の長さ方向の軸を中心に前記ホルダー２００が旋回するように、前記ホルダー２００と前記回動手段３００とを連結固定する旋回手段４００と、前記回動手段３００に固定結合され、前記ホルダー２００の閉鎖状態では、被写体の像を集めるカメラレンズ５０１及びディスプレイ２５０の向かう方向が互いに反対であり、前記ホルダー２００の開放状態では、カメラレンズ５０１及びディスプレイ２５０の向かう方向が互いに同一であるカメラモジュール５００と、を含んで構成されている。
また、前記本体１００は、外形をなす本体ケース１１１と、音声情報を受信するマイクユニット１３０と、前記本体ケース１１１の前面に情報を入力するように形成されたキーパッド１１２と、前記本体ケース１１１の内部に装着される回路部品（図示せず）と、前記本体ケース１１１の一側に着脱自在に連結されたバッテリ１２１と、を含んで構成される。
また、前記本体ケース１１１は、一側に突出形成され、前記回動手段３００と接触される内側に前記回動手段３００のヒンジカム突起３３０が収容される挿入溝１１６を備えた第１ヒンジ結合部１１３と、前記本体ケース１１１の一側に突出形成され、前記第１ヒンジ結合部１１３と対をなして前記回動手段３００が装着される挿入孔１１５を備えた第２ヒンジ結合部１１４と、を含んで構成される。
また、前記第２ヒンジ結合部１１４は、回動手段３００と接触される内側にケースカバー３６０の円状の中空突起１５８が挿入される挿入孔１１５と、外側にモード選択スイッチ１７０の固定本体１７３が挿入される固定孔１１７と、前記固定本体１７３に突出形成された固定突起１７４が挿入される固定溝１１８と、を備える。
また、前記回動手段３００は、前記ホルダー２００と一体に回動する回動ケース３０１と、前記本体１００の第１ヒンジ結合部１１３と前記回動ケース３０１の一側面とを回動自在に連結するヒンジ機構３２０と、前記回動ケース３０１の内部の収容空間を閉鎖し、前記本体１００の一部と回動自在に結合されたケースカバー３６０と、を含んで構成される。
また、前記回動ケース３０１は、所定の長さを有して円筒状に形成され、その閉鎖された一側面には、前記ヒンジ機構３２０を収容するヒンジ固定溝３０８が形成され、円筒状の内周面には、前記カメラモジュール５００が挿入される案内溝３０４が形成され、円筒状の一側には、前記カメラモジュール５００を構成するカメラレンズ５０１を外部に露出するレンズ露出孔３０６が貫通形成され、円筒状の他側には、カメラモジュール５００を構成するフラッシュ５０３を外部に露出するフラッシュ露出孔３０７が貫通形成される。
また、前記ヒンジ機構３２０は、前記ホルダー２００と一体に回動し、一側に傾斜面３４３、３４４などの形状プロファイルを形成したヒンジカム３４０と、前記本体１００の一部に装着され、前記ヒンジカム３４０と所定の接触力を有して接触されて前記ヒンジカム３４０の傾斜面３４３、３４４などの形状プロファイルによって動くヒンジカム突起３３０と、これらヒンジカム３４０とヒンジカム突起３３０との間の所定の接触力を有するように所定の圧縮変位を有して挿入されたヒンジスプリング３５２と、これらヒンジスプリング３５２、ヒンジカム３４０及びヒンジカム突起３３０を貫通する支持軸３５０と、これら支持軸３５０とヒンジカム突起３３０とを一体に固定するために、支持軸３５０に形成されたピンホール３５１と前記ヒンジカム突起３３０の頭部３３１に形成された結合孔３３２とを貫通して締結されるピン３３３と、前記支持軸３５０の一端に形成され、前記ヒンジスプリング３５２が所定の圧縮変位を有するように支持するスプリング係止板３５３と、を含んで構成される。
また、前記ヒンジカム３４０は、係止突起３４１を中心に傾きが急な曲面で形成された上昇傾斜面３４３と、傾きが緩やかな曲面で形成された下降傾斜面３４４と、を備え、前記ヒンジカム３４０の外側面には、前記回動ケース３０１と一体に回動するように、ヒンジ固定溝３０８の平坦部３０９と結合される平坦面３４２が形成される。
前記ヒンジカム３４０に形成された係止突起３４１及びその周囲の傾斜面３４３、３４４によって、本体１００に対してホルダー２００を、係止突起３４１に形成された回転角よりも小さく開放した状態では、前記ホルダー２００は閉鎖されるように力を受け、本体１００に対してホルダー２００を、係止突起３４１に形成された回転角よりも大きく開放した状態では、前記ホルダー２００は開放されるように力を受けることで、完全に開放された状態になる。
ここで、前記ヒンジスプリング３５２は、前記スプリング係止板３５３と前記ヒンジカム３４０との間に設置されることが好ましい。
また、前記ヒンジ固定溝３０８は、前記ホルダー２００の回動時に前記ヒンジカム３４０と一体に回動するように、前記ヒンジカム３４０の平坦面３４２と噛合されるヒンジ固定溝３０８の平坦部３０９を備えている。
また、前記ケースカバー３６０の一側には、回動ケース３０１の雌ねじ部３０３と噛合されて前記回動ケース３０１を閉鎖する雄ねじ部１５９が形成され、その他側には、信号線が貫通する中空穴３６２が中央に形成され、前記本体１００の第２ヒンジ結合部１１４に形成された挿入孔１１５に回動自在に挿入される中空突起３６１が突出形成される。
また、前記旋回手段４００は、前記回動手段３００を構成し、前記ホルダー２００と一体に回動する回動ケース３０１の外側面に円柱状に突出形成された設置柱４５０と、この設置柱４５０の周囲に突出形成された旋回カム突起４５２と、中空４１３に前記設置柱４５０が挿入され、下面で前記旋回カム突起４５２と結合されることで、前記ホルダー２００の旋回時に不連続的なモーメントを提供するカム部４１５を備えた旋回カムホルダー４１０と、この旋回カムホルダー４１０の上面４１４に位置され、所定の圧縮変位を有して設置されて前記旋回カムホルダー４１０の下方に所定力を加える旋回スプリング４２０と、この旋回スプリング４２０の圧縮変位を維持するように前記旋回スプリング４２０の上面に位置され、設置柱４５０の上部に形成された雄ねじ部４５１と結合固定される雌ねじ部４３１を備えた固定ナット４３０と、前記ホルダー２００の外部をなすホルダーケース２１１、２１２と前記旋回カムホルダー４１０とが一体に旋回するように固定結合される締結手段と、を含んで構成される。
ここで、前記旋回カム突起４５２は、複数個に構成されることが好ましい。
さらに、前記旋回カムホルダー４１０のカム部４１５は、円周方向に波状をなして等間隔に突出されることが好ましい。
さらに、前記旋回スプリング４２０は、コイルスプリングであることが好ましい。
前記締結手段は、前記旋回カムホルダー４１０の外側面に延長形成されて締結孔４４２を備えるホルダー締結部４４１と、このホルダー締結部４４１の締結孔４４２を貫通し、ホルダーケース２１１、２１２に形成された固定孔４４３を貫通するボルト４４６と、このボルト４４６と締結されて前記ホルダーケース２１１、２１２と前記旋回カムホルダー４１０とを一体に結合するナット４４５と、を含んで構成される。
このとき、前記設置柱４５０の前記中空部４５３底面は、前記回動ケース３０１の内部を貫通するように形成され、前記ディスプレイ２５０に信号を伝送する信号線が前記本体１００に内蔵された回路部品から前記回動ケース３０１を通過し、前記設置柱４５０の中空部４５３と前記ホルダーケース２１１の貫通孔４４４とを通して前記ホルダー２００の内部に連結される。そして、前記ホルダーケース２１１の底面２１３には、前記ホルダー締結部４４１の締結孔４４２とボルト結合される固定孔４４３が形成されるが、この固定孔４４３に雌ねじ山が形成され、前記締結孔４４２と前記固定孔４４３とを貫通してボルト結合することで、前記ホルダー２００と前記旋回カムホルダー４１０とが一体に旋回するように連結固定される。ここで、使用者が前記ホルダー２００を旋回すると、一体に結合された前記旋回カムホルダー４１０も一緒に旋回するが、前記旋回カムホルダー４１０の背面に形成されたカム部４１５は、前記旋回スプリング４２０により所定の力を受けて前記旋回カム突起４５２と接触される。よって、使用者が前記ホルダー２００を旋回すると、前記カム部４１５と前記旋回カム突起４５２とがぶつかって旋回するため、使用者に不連続的なモーメントを提供し、使用者が前記ホルダー２００を旋回しない場合、前記ホルダー２００は、特定の位置にそのまま固定される。
また、前記ホルダー２００は、各種情報を画像に表示し、撮影時には被写体の像を表示するように前記ホルダー２００の後面に形成されたディスプレイ２５０と、このディスプレイ２５０を取り囲んで形成されたホルダーケースと、を含んで構成される。
また、前記ホルダーケースは、内部に回路部品を収容するように所定空間を形成して組み立てる前面部ケース２１１と、後面部ケース２１２と、から構成される。
また、前記前面部ケース２１１の底面２１３には、前記回動ケース３０１の平坦面３０５に設置された設置柱４５０が旋回カムホルダー４１０の中空４１３を貫通して挿入される貫通孔４４４が形成され、旋回カムホルダー４１０のホルダー締結部４４１の締結孔４４２と相応する位置に形成され、ボルト結合などにより前記旋回カムホルダー４１０と前記ホルダー２００とを一体に結合する固定孔４４３が形成される。
また、前記カメラモジュール５００は、内部に回路部品（図示せず）が内蔵される収容空間を有するカメラ本体５０５と、このカメラ本体５０５に突出装着されて被写体の像を集めるカメラレンズ５０１と、このカメラレンズ５０１が前記カメラ本体５０５に取り付けられるように、前記カメラレンズ５０１の周囲を取り囲んで形成されたレンズフレーム５０２と、前記本体１００に内蔵された回路部品に信号を伝送するように形成されたカメラ信号線１６４と、を含んで構成される。
また、前記カメラ本体５０５は、一端が階段状をなしており、前記カメラモジュール５００が挿入される回動手段３００の回動ケース３０１の中空部に突出形成された段面３０２と接触するまで挿入結合される。
ここで、前記カメラ本体５０５は、暗い場所でも容易に被写体を撮影するように、前記カメラ本体５０５の前面に形成されたフラッシュ５０３を含むことが好ましい。
さらに、前記本体１００は、前記カメラモジュール５００の撮影を命令するように、前記本体１００の一側に形成された撮影ボタン１２０を含んで構成されることが好ましい。
さらに、前記本体１００は、前記本体ケース１１１の一側に備わって、接写撮影、野外撮影、夜間撮影などの撮影モードを変更するモード選択スイッチ１７０を含むことが好ましい。
また、前記モード選択スイッチ１７０は、前記本体１１０の第２ヒンジ結合部１１４に形成された固定孔１１７に挿入固定する固定本体１７３と、この固定本体１７３に対して回転することで、使用者が撮影モードを選択する回転本体１７１と、使用者が選択したモード情報を前記本体１００に内蔵された回路部品（図示せず）に伝達する信号線１７５と、を含んで構成される。
また、前記固定本体１７３は、第２ヒンジ結合部１１４の固定溝１１８に挿入されて前記固定本体１７３を固定結合する固定突起１７４を含んで構成される。
ここで、前記回転本体１７１には、撮影モード選択時に使用者の手が滑らないように、ナーリング（ｋｎｕｒｌｉｎｇ）加工などによって粗い表面部１７２を形成することが好ましい。
上述したように、使用者は、前記回転本体１７１を回転することで、一般撮影、晴れた日の撮影、曇った日の撮影、夜間撮影、野外撮影、室内撮影などに撮影モードを変更することができ、各撮影モードは、天気、明暗などの特定条件によって最適のシャッター速度及び露出速度などが入力設定されているので、使用者は、前記モード選択スイッチ１７０を活用して一層高品質の撮影をすることができる。
以下、本発明に係る携帯端末機の作用効果を説明する。
図３は、本発明の一実施形態によるホルダーの閉鎖状態でカメラレンズが向かう方向を示した側面図で、図４は、本発明の一実施形態によるホルダーの開放状態でカメラレンズが向かう方向を示した側面図である。図示したように、携帯端末機を使用せずに携帯する場合、前記ホルダー２００のディスプレイ２５０が前記本体１００に向かって重ねられた状態にある。この場合、カメラレンズが向かう方向５５０は、前記本体１００の後面に向かっている。そして、使用者がホルダー２００を開放すると、カメラレンズ５０１が回動ケース３０１に装着されてその回動ケース３０１と一体に回動するので、ホルダー２００の回転角度だけカメラレンズ５０１も回転される。その結果、ホルダー２００に装着されたディスプレイ２５０とカメラレンズ２５０とが全て使用者に向かうことで、使用者は、自身を撮影する場合、別途にカメラレンズが向かう方向５５０を修正せずに撮影することができる。すなわち、前記カメラレンズ５０１が使用者自身に向かうことで、使用者自身を含めた被写体の構図をディスプレイ２５０を通して確認調節した後、撮影ボタンを押して撮影することができる。このとき、前述したように、前記モード選択スイッチを用いて撮影モードを選択することで、撮影の質を高めることができる。
図５は、本発明の一実施形態に係るホルダーの旋回状態を示した側面図で、図６は、本発明の一実施形態に係るホルダーの１８０゜旋回状態を示した側面図である。図示したように、使用者がホルダー２００を開放するとき、ディスプレイ２５０が向かう方向と反対側にある被写体を撮影する場合、まず、ホルダー２００を所定角度に開放して旋回する。ここで、ディスプレイ２５０が旋回する間は、カメラレンズが向かう方向５５０は変わらない。その結果、ホルダー２００を１８０゜旋回すると、ディスプレイ２５０が被写体に向かい、カメラレンズ５０１が使用者に向かうことで、ディスプレイ２５０及びカメラレンズ５１０が向かう方向５５０は、互いに反対になる。
図７は、本発明の一実施形態に係るホルダーを１８０゜旋回した閉鎖状態を示した側面図である。図示したように、使用者が自身の前に位置した被写体を撮影する場合、ホルダー２００を１８０゜旋回した状態で閉鎖する。この場合、ディスプレイ２５０が使用者に向かい、カメラレンズ５０１が被写体に向かうことで、デジタルカメラのように洗練された感じで撮影することができる。すなわち、使用者は、被写体を見ながらディスプレイ２５０に表示される被写体の像を確認調節して被写体の構図をとり、前記撮影ボタンを押して撮影することができる。
上述したように、本発明の一実施形態に係る携帯端末機は、使用者が前記カメラレンズ５０１を被写体の方向に一々回転する必要なしに、ただ、前記ホルダー２００の開閉によって前記カメラレンズ５０１が使用者の撮影方向に向かうように構成することで、カメラ使用における使用者の便宜を図ったものである。
【０００９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００１０】
【図１】本発明に係る携帯端末機の一実施形態を示した斜視図である。
【図２】本発明に係る携帯端末機の一実施形態を部分的に分解して示した斜視図である。
【図３】本発明の一実施形態によるホルダーの閉鎖状態でカメラレンズが向かう方向を示した側面図である。
【図４】本発明の一実施形態によるホルダーの開放状態でカメラレンズが向かう方向を示した側面図である。
【図５】本発明の一実施形態に係るホルダーの旋回状態を示した側面図である。
【図６】本発明の一実施形態に係るホルダーの１８０゜旋回状態を示した側面図である。
【図７】本発明の一実施形態に係るホルダーを１８０゜旋回した閉鎖状態を示した側面図である。
【図８】従来のカメラ装置を備えた携帯端末機の構成を示した斜視図である。
【図９】従来の携帯端末機のカメラ装置を示した斜視図である。
【符号の説明】
【００１１】
１００  本体
１１３  第１ヒンジ結合部
１１４  第２ヒンジ結合部
１２０  撮影ボタン
１７０  モード選択スイッチ
２００  ホルダー
２１１  前面部ケース
２１２  後面部ケース
２５０  ディスプレイ
３００  回動手段
３０１  回動ケース
３２０  ヒンジ機構
３３０  ヒンジカム突起
３４０  ヒンジカム
３５０  支持軸
３５２  ヒンジスプリング
３６０  ケースカバー
４００  旋回手段
４１０  旋回カムホルダー
４１５  カム部
４２０  旋回スプリング
４３０  固定ナット
４５０  設置柱
４５２  旋回カム突起
５００  カメラモジュール
５０１  カメラレンズ
５０３  フラッシュ
５０５  カメラ本体
【図１】
2005198277.tif 000003
【図２】
2005198277.tif 000004
【図３】
2005198277.tif 000005
【図４】
2005198277.tif 000006
【図５】
2005198277.tif 000007
【図６】
2005198277.tif 000008
【図７】
2005198277.tif 000009
【図８】
2005198277.tif 000010
【図９】
2005198277.tif 000011